(57)【特許請求の範囲】
【請求項１】
特性調整可能なゴルフクラブを再設定するためのコンピュータープログラムであって、
このプログラムは、コンピューターが読み取り可能な媒体上で具現化され、計算機によって実行されたとき、
ゴルフクラブの調整可能な特性の現在の設定に対応する第一のデータ入力を受け取る、
軌道調節情報に対応する第二のデータ入力を受け取る、
第一のデータ入力と第二のデータ入力に基づいて、前記ゴルフクラブの調整可能な１つの特性に対する複数の設定のうちの１つに対応する再設定情報を生成する、そして
前記再設定情報を出力する、ステップを実行し、
環境情報に対応する第三のデータ入力を受け取るステップをさらに実行し、
前記再設定情報は、前記第三のデータ入力に基づいて生成される。
【請求項２】
特性調整可能なゴルフクラブを再設定するためのコンピュータープログラムであって、
このプログラムは、コンピューターが読み取り可能な媒体上で具現化され、計算機によって実行されたとき、
ゴルフクラブの調整可能な特性の現在の設定に対応する第一のデータ入力を受け取る、
軌道調節情報に対応する第二のデータ入力を受け取る、
第一のデータ入力と第二のデータ入力に基づいて、前記ゴルフクラブの調整可能な１つの特性に対する複数の設定のうちの１つに対応する再設定情報を生成する、そして
前記再設定情報を出力する、ステップを実行し、
前記第一のデータ入力は、電子センサー装置から受け取られる。
【請求項３】
前記調整可能な特性は、ロフト角、ライ角、フェース角、クラブヘッド重量、打撃面の剛性、シャフトフレックス、反発係数、重心位置、及び慣性モーメントから構成されるグループから選択されたゴルフクラブの特性を修正するために調整される請求項１または２に記載のコンピュータープログラム。
【請求項４】
前記第三のデータ入力を受け取るステップが、ＧＰＳ衛星から位置データを受け取ること及びリモートサーバに位置データを送信することを含み、
前記環境情報は、位置データに基づいてリモートサーバから受け取る請求項１に記載のコンピュータープログラム。
【請求項５】
前記環境情報は、高度、平均風速、温度、雲の覆い度、及び土壌の湿り度で構成されるグループから選択された特性に対応する請求項１又は４に記載のコンピュータープログラム。
【請求項６】
前記軌道調節情報は、
前記ゴルフクラブの使用による打球の現在の軌道形状の特徴と、前記ゴルフクラブの使用による打球の所望する軌道形状の特徴とで構成される前記調整可能な特性に対応する請求項１乃至５のいずれかに記載のコンピュータープログラム。
【請求項７】
前記第二のデータ入力を受け取るステップは、
ユーザーの現在のショット軌道表示を電子的ディスプレイ装置上に表示する、
前記ユーザーの現在のショット軌道表示からユーザー操作に基づいて第一の操作情報を受け取る、
ユーザーの所望するショット軌道表示を電子ディスプレイ装置上に表示する、
前記ユーザーの所望するショット軌道表示からユーザー操作に基づいて第二の操作情報を受け取る、
前記第一の操作情報と前記第二の操作情報との間の対応関係に基づいて、第二のデータ入力が決定される請求項１乃至６のいずれかに記載のコンピュータープログラム。
【請求項８】
前記再設定情報は、軌道調節情報と再設定情報との間の間接的な比例関係に基づいて生成される請求項１乃至６のいずれかに記載のコンピュータープログラム。
【請求項９】
システムは、
特性調整可能なゴルフクラブと、前記特性調整可能なゴルフクラブを再設定するためのコンピュータープログラムと、前記コンピュータープログラムが記憶されたコンピューターとを含み、
特性調整可能なゴルフクラブは、ゴルフクラブヘッド、前記ゴルフクラブヘッドに固着されるシャフト、及びゴルフクラブの第一の特性がそれぞれの第一の複数の設定の間で変化するような何れかの第一の複数の設定の間で再設定可能な第一の調整特性とを含み、
前記コンピュータープログラムは、コンピューターが読み取り可能な媒体上で具現化され、計算機によって実行されたとき、
前記第一の調整特性の現在の設定に対応する第一のデータ入力を受け取る、
軌道調整情報に対応する第二のデータ入力を受け取る、
前記第一のデータ入力と前記第二のデータ入力とに基づいて、前記第一の調整特性の前記第一の複数の設定の一つに対応する再設定情報を生成する、かつ
前記再設定情報を出力するステップを構成し、
前記プログラムは、環境情報に対応する第三のデータ入力を受け取るステップをさらに実行し、
前記再設定情報は、前記第三のデータ入力に基づいてさらに生成される。
【請求項１０】
システムは、
特性調整可能なゴルフクラブと、前記特性調整可能なゴルフクラブを再設定するためのコンピュータープログラムと、前記コンピュータープログラムが記憶されたコンピューターとを含み、
特性調整可能なゴルフクラブは、ゴルフクラブヘッド、前記ゴルフクラブヘッドに固着されるシャフト、及びゴルフクラブの第一の特性がそれぞれの第一の複数の設定の間で変化するような何れかの第一の複数の設定の間で再設定可能な第一の調整特性とを含み、
前記コンピュータープログラムは、コンピューターが読み取り可能な媒体上で具現化され、計算機によって実行されたとき、
前記第一の調整特性の現在の設定に対応する第一のデータ入力を受け取る、
軌道調整情報に対応する第二のデータ入力を受け取る、
前記第一のデータ入力と前記第二のデータ入力とに基づいて、前記第一の調整特性の前記第一の複数の設定の一つに対応する再設定情報を生成する、かつ
前記再設定情報を出力するステップを構成し、
前記第一のデータ入力は、電子センサー装置から受け取る。
【請求項１１】
前記第一の調整特性は、第一の錘ポートと前記第一の錘ポートの中で交換可能に固着される複数の錘エレメントとで構成される請求項９又は１０に記載のシステム。
【請求項１２】
前記第一の調整特性は、さらに第二の錘ポートを含み、
前記複数の錘エレメントは、前記第二の錘ポートの中に交換可能に固着される請求項１１記載のシステム。
【請求項１３】
前記ゴルフクラブは、第二の複数の設定のいずれかで前記ゴルフクラブヘッドに前記シャフトを交換可能に固着させるために調整されたシャフト接続部を含む第二の調整特性を構成し、
前記コンピュータープログラムは、前記第二の調整特性の現在の設定に対応するデータ入力を受け取るステップをさらに実行し、
前記再設定情報は、前記第二の複数の設定の一つにさらに対応し、前記データ入力に基づいてさらに生成される請求項９乃至１２のいずれかに記載のシステム。
【請求項１４】
前記第三のデータ入力を受け取るステップは、ＧＰＳ衛星からの位置データを受け取ること及びリモートサーバに位置データを送信することを含み、
前記環境情報は、前記位置データに基づいて前記リモートサーバから受け取る請求項９記載のシステム。
【請求項１５】
前記環境情報は、高度、平均風速、温度、雲の覆い具合、及び土壌の湿り度から構成されるグループから選択される特性に対応する請求項１４記載のシステム。
【請求項１６】
前記軌道調整情報は、ゴルフクラブの使用による打球の現在の軌道形状の特徴、及び、ゴルフクラブの使用による打球の所望される軌道形状の特徴で構成される前記調整可能な特性に対応する請求項９乃至１５のいずれかに記載のシステム。
【請求項１７】
特性調整可能なゴルフクラブと、前記特性調整可能なゴルフクラブを再設定するためのコンピュータープログラムと、前記コンピュータープログラムが記憶されたコンピューターとを含み、
特性調整可能なゴルフクラブは、ゴルフクラブヘッド、前記ゴルフクラブヘッドに固着されるシャフト、前記ゴルフクラブの第一の特性が第一の複数の設定のそれぞれの間で変化するように、前記第一の複数の設定の間で再設定可能な第一の調整特徴、及び、前記ゴルフクラブの第一の特性とは異なる前記ゴルフクラブの第二の特性が第二の複数の設定のそれぞれの間で変化するように、前記第二の複数の設定の間で再設定可能な第二の調整特徴を含み、そして、
前記コンピュータープログラムは、コンピューターが読み取り可能な媒体上で具現化され、計算機によって実行されたとき、
前記第一の複数の設定の一つに対応する第一のユーザー入力と、前記第二の複数の設定の一つに対応する第二のユーザー入力とを含む第一のデータ入力を受け取ること、
軌道調節情報に対応する第二のデータ入力を受け取ること、
前記第一のデータ入力と前記第二のデータ入力に基づいて、前記再設定可能な第一の調整特徴の複数の設定のうちの1つに対応し、かつ、前記再設定可能な第二の調整特徴の複数の設定のうちの1つに対応する再設定情報を生成すること、
環境情報に対応する第三のデータ入力を受け取ること、
前記再設定情報は、前記第三のデータ入力に基づいてさらに生成され、及び
電子的ディスプレイ装置上に前記第三のデータ入力に基づいてさらに生成された再設定情報を表示することを含むシステム。
【請求項１８】
特性調整可能なゴルフクラブと、前記特性調整可能なゴルフクラブを再設定するためのコンピュータープログラムと、前記コンピュータープログラムが記憶されたコンピューターとを含み、
特性調整可能なゴルフクラブは、ゴルフクラブヘッド、前記ゴルフクラブヘッドに固着されるシャフト、前記ゴルフクラブの第一の特性が第一の複数の設定のそれぞれの間で変化するように、前記第一の複数の設定の間で再設定可能な第一の調整特徴、及び、前記ゴルフクラブの第一の特性とは異なる前記ゴルフクラブの第二の特性が第二の複数の設定のそれぞれの間で変化するように、前記第二の複数の設定の間で再設定可能な第二の調整特徴を含み、そして、
前記コンピュータープログラムは、コンピューターが読み取り可能な媒体上で具現化され、計算機によって実行されたとき、
前記第一の複数の設定の一つに対応する第一のユーザー入力と、前記第二の複数の設定の一つに対応する第二のユーザー入力とを含む第一のデータ入力を受け取ること、
軌道調節情報に対応する第二のデータ入力を受け取ること、
前記第一のデータ入力と前記第二のデータ入力に基づいて、前記再設定可能な第一の調整特徴の複数の設定のうちの1つに対応し、かつ、前記再設定可能な第二の調整特徴の複数の設定のうちの1つに対応する再設定情報を生成すること、
及び
電子的ディスプレイ装置上に前記再設定情報を表示することを含むステップを実行し、
前記第一のデータ入力は電子センサー装置から受け取るシステム。
【請求項１９】
前記第一の調整特徴は、第一の錘ポートと前記第一の錘ポートの中に交換可能に固着される複数の錘エレメントと含む請求項１７又は１８に記載のシステム。
【請求項２０】
前記第一の調整特徴は、第二の錘ポートをさらに含み、前記複数の錘エレメントは、前記第二の錘ポートの中に交換可能に固着される請求項１９に記載のシステム。
【請求項２１】
前記第二の調整特徴は、複数の位置の何れかのゴルフクラブヘッドにシャフトを交換可能に固着するために調整されたシャフト接続部を有する請求項１７乃至２０のいずれかに記載のシステム。
【請求項２２】
前記第一の調整特徴は、複数の位置の何れかのゴルフクラブヘッドに固着されるために調整された再配置可能なソールプレートを含む請求項１７乃至２１のいずれかに記載のシステム。
【請求項２３】
前記第三のデータ入力を受け取るステップは、ＧＰＳ衛星から位置情報を受け取ること及びリモートサーバに前記位置データを送信することを含み、
前記環境情報は、前記位置情報に基づいてリモートサーバから受け取る請求項１７に記載のシステム。
【請求項２４】
前記環境情報は、高度、平均風速、気温、雲の覆い度及び土壌の湿り度で構成されるグループから選択される特性に対応する請求項１７又は２３に記載のシステム。
【発明の詳細な説明】
【背景技術】
【０００１】
技術の進歩によって、ゴルフ製品をゴルファーがカスタマイズし得る範囲は、著しく広がった。例えばゴルフクラブは、次第に、ユーザーが調整可能な特性を含むようになっている。特に、ゴルフクラブ製造者は、一つ以上の取り換え可能な錘エレメントが、対応する錘ポート内に取り外し可能に固定されたゴルフクラブを発表している。また製造者は、ゴルフクラブのフェース角、ロフト角及び/又はライ角をユーザーが調節するための、例えば、再調整可能なシャフト等の手段を発表している。別の例として、製造者は、ゴルファーのスイング特性や選択的にコースコンディションに基づいて、ゴルフクラブとゴルフボールと、及びそれの構成要素を幅広く選択できるように、たくさんの異なるゴルフクラブとゴルフボール、及びそれの構成要素を提供している。
【０００２】
しかし、ゴルフクラブ特性の再設定や、特定のゴルフクラブやゴルフボールを選択することによる実際の性能に対する効果は、多くの場合、特にプレーの最中のゴルファーにとって、予想が困難なものである。例えば、取り換え可能な複数の錘エレメントと再配置可能なシャフトとを有するゴルフクラブでは、取り換え可能な各錘エレメントとシャフト位置とに関する設定と、打球の軌道形状へのそれらの影響との間の関係は、複雑である。更に、平均風速、高度およびフェアウェイコンディションのようなゴルフクラブの外的特性もまた、ゴルフクラブの性能の一因となる。
【０００３】
そのような複雑さのため、ユーザーが調整可能な特性と可能なゴルフ製品及び構成品の選択とを利用するゴルファーの能力は、大幅に制限される。
【発明の概要】
【発明が解決しようとする課題】
【０００４】
故に、ゴルフクラブ性能のゴルフクラブのユーザー調整可能な一つ以上の特性を再設定することによる影響を予想するにおいて、ゴルファーを支援するための方法、装置及びシステムの必要性がある。
【課題を解決するための手段】
【０００５】
従って、本発明の一例によるコンピュータープログラムは、次のステップを含んで行われる。現在の調整可能な設定を特徴とするゴルフクラブに対応する第一のデータ入力を受け取る、軌道調節情報に対応する第二のデータ入力受け取る、第一のデータ入力と第二のデータ入力に基づいて、ゴルフクラブのある一つの調整可能な特性の複数の設定の内の１つに対応する再設定情報を生成する、そして、その再設定情報を出力する。
【０００６】
本発明の別の例では、特性を調整可能なゴルフクラブ及び相互関係にあるソフトウエアプログラムを有するシステムを含む。ゴルフクラブは、ゴルフクラブヘッドと、ゴルフクラブヘッドに固着されるシャフトと、第一の複数の設定間の再設定可能な第１調整機能とを含む。ゴルフクラブの第１機能は、第一の複数の設定間を変更する。ソフトウエアプログラムは、次のステップが行われる。第一の調整機能の現在設定に対応する第一のデータ入力を受け取る、軌道調整情報に対応する第二のデータ入力を受け取る、第一の入力データ及び第二の入力データに基づく第一の調整機能の第一の複数の設定の一つに対応する再設定情報を生成する、そして、再設定情報を出力する。
【０００７】
また、本発明の別の例では、特性を調整可能なゴルフクラブとソフトウエアプログラムとを有するシステムを含む。ゴルフクラブは、ゴルフクラブヘッドと、ゴルフクラブヘッドに固着されるシャフトと、第一の複数の各設定間で変化するゴルフクラブの第一の特性のような第一の複数の設定間の再設定可能な第一の調整の特性と、第二の複数の各設定間で変化するゴルフクラブの第二の特性のような第二の複数の設定間の再設定可能な第二の調整の特性とを含む。ソフトウエアプログラムは、次のステップが行われる。第一の複数の設定の一つに対応する第一のデータ入力を受け取る、第二の複数の設定の一つに対応する第二のデータ入力を受け取る、第一のデータ入力と第二のデータ入力とに相互関連によって生じる情報を生成する、そして、電子ディスプレイ装置上に生成情報を表示する。
【０００８】
上述の典型的各態様は、個々にあるいは各種組み合わせで実施し得る。各種態様における、そして一つ以上の各種の例で示された本発明の方法、装置、システムのこれらのそして他の特徴と利点は、次の記述、添付図面、添付の請求項を斟酌すると明らかとなるであろう。
【図面の簡単な説明】
【０００９】
【図１】外部機能と通信している、本発明の一つ以上の態様に従うコンピューティング・システムの略図
【図１（ａ）】図１のコンピューティング・システムのさらなる詳細を示す略模式図
【図２】外部機能と通信している、本発明の一つ以上の態様に従う携帯通信端末の略図
【図２（ａ）】外部機能と通信している、図２に示される本発明の一つ以上の態様に従う携帯通信端末の略模式図
【図３】本発明の一つ以上の態様に従う特性調整可能なゴルフクラブの正面図
【図３（ａ）】図３の特性調整可能なゴルフクラブの商材図
【図３（ｂ）】図３の特性調整可能なゴルフクラブの底面図
【図３（ｃ）】図３の特性調整可能なゴルフクラブの分解底面図
【図３（ｄ）】図３の特性調整可能なゴルフクラブのヒール側分解側面図
【図４】本発明の一つ以上の態様に従う、ゴルフクラブフィッティングプロセスを例示するフローチャート
【図４（ａ）】図４のゴルフクラブフィッティングプロセスが実行中にユーザーに対してなされる表示のスクリーンショット
【図５】図４のゴルフクラブフィッティングプロセスの１つのサブプロセスを例示するフローチャート
【図５（ａ）】図４のゴルフクラブフィッティングプロセスに関連して使用される各種の論理的可能データベースを説明する図
【図５（ｂ）】図４のゴルフクラブフィッティングプロセスが実行中に各種時点でユーザーに対してなされる表示の各種スクリーンショット
【図６】図４のゴルフクラブフィッティングプロセスの１つのサブプロセスを例示するフローチャート
【図６（ａ）】図６のサブプロセスのステップ３４０のさらなる詳細を示すフローチャート
【図６（ｂ）】図６のサブプロセスに関連して使用される各種の論理的可能データベースを示す図
【図６（ｃ）】図４のゴルフクラブフィッティングプロセスの１つのサブプロセスを例示するフローチャート
【図６（ｄ）】図６のサブプロセスの実行中に各種の時点でユーザーに対してなされる各種表示のスクリーンショット
【図６（ｅ）】図６のサブプロセスのステップ３４８のさらなる詳細を示すフローチャート
【図６（ｆ）】図６のサブプロセスに関連して使用される各種の論理的可能データベースを示す図
【図６（ｇ）】図６のサブプロセスに関連して使用される１つの論理的可能データベースを示す図
【図７（ａ）】本発明の一つ以上の態様に従う典型的なゴルフクラブヘッドの前方斜視図
【図７（ｂ）】図７（ａ）の典型的なゴルフクラブヘッドの後方斜視図
【図７（ｃ）】図７（ａ）のゴルフクラブヘッドの分解後方斜視図
【図７（ｄ）】カバープレートを外した図７（ａ）のゴルフクラブヘッド上面図
【図７（ｅ）】図７（ａ）のゴルフクラブヘッドの後方底面斜視図
【図７（ｆ）】図７（ｄ）に示す切断面７（ｆ）に沿った図７（ａ）のゴルフクラブヘッドの断面図
【図７（ｇ）】経路を重ね表示した図７（ａ）のゴルフクラブヘッドのヒール側側面図
【図７（ｈ）】本発明の一つ以上の態様に従う調整工具の正面斜視図
【図７（ｉ）】図７（ｈ）の調整工具の略図
【図７（ｊ）】図７（ａ）のゴルフクラブヘッドの一部と結合した、ある動作位置における、図（ｈ）の調整工具の垂直断面図
【発明を実施するための形態】
【００１０】
以下に記載されている図面は、単に説明を目的とするものであり、本発明の範囲に対しての何らかの限定を意図したものではない。
【００１１】
添付の図面を参照し典型的な実施例について説明する。
【００１２】
図１は、計算機100、例えば、パーソナルコンピューターを示している。
【００１３】
この計算機100は、中央演算処理装置(CPU)102、電子ディスプレイ104、そしてマウス114とキーボード108とを含むユーザーインターフェース106を具える。
【００１４】
電子ディスプレイ104は、テキスト、グラフィック及び/又はビデオ情報を見ることが可能な、液晶ディスプレイ(LCD)、プラズマディスプレイ、ドットマトリックスディスプレイ、半透過型バックライトディスプレイやその他のディスプレイ技術を包含し得る。
【００１５】
本発明の一つ以上の態様では、印刷装置112が中央演算処理装置102と通信する。
【００１６】
またリムーバブル記憶装置114を示している。
【００１７】
このリムーバブル記憶装置114は、CD-ROM形式の記憶媒体や、当該技術で知られている他のリムーバブル記憶装置を包含し得る。
【００１８】
本発明の一つ以上の態様において、前記計算機100は、通信回線130を通じてインタネットやローカルネットワークに接続され、その結果、リモートサーバ例えばリモートサーバ116や他のネットワーク上のコンピューターに、情報を送信し、及び／又はそれから受信したりできる。
【００１９】
本発明の一つ以上の態様において、前記通信回線130は、コンベンショナルな無線通信回線を含む。
【００２０】
本発明の別の態様では、前記通信回線130は、ケーブル等を含む。
【００２１】
図１（ａ）において、前記計算機100は、ハードウェアプロセッサ122を含む。
【００２２】
このプロセッサ122は、前記ディスプレイ104と、前記ユーザーインターフェース106と、インターネットまたは別のリモートコンピューターのネットワークへデータを送るあるいはそれからデータを受け取るためのモデム120とにつながっている。
【００２３】
また前記プロセッサ122は、揮発性メモリー装置、不揮発性メモリー装置、あるいは両者を含むメモリー装置118、即ち、記憶媒体につながっている。
【００２４】
プロセッサ122で実行される後述の本発明のプログラムのいずれか、のようなソフトウエアプログラムが、前記メモリー装置118に記憶され得る。
【００２５】
択一的にあるいは追加的に、プロセッサ122で実行される後述の本発明のプログラムのいずれか、のようなソフトウエアプログラムが、前記リムーバブル記憶装置114（図1に示される）に記憶され得る。
【００２６】
択一的にあるいは追加的に、プロセッサ122で実行される後述の本発明のプログラムのいずれか、のようなソフトウエアプログラムが、前記モデム120から及びモデム120にデータ転送によって、前記リモートサーバ116と関連付けられているメモリー装置に記憶され得る。
【００２７】
図２と図２（ａ）には、携帯通信端末200が示されている。
【００２８】
この携帯通信端末200は、ハードウェアプロセッサ222を含む。
【００２９】
ハードウェアプロセッサ222は、電子ディスプレイ204、ユーザーインターフェース212、グローバル・ポジショニング・システム(ＧＰＳ)の受信機228、そしてメモリー装置218につながっている。
【００３０】
電子ディスプレイ204は、テキスト的、グラフィック的及び/又はビデオ的情報を表示可能な、液晶ディスプレイ(LCD)、プラズマディスプレイ、ドットマトリックスディスプレイ、半透過型バックライトディスプレイ、あるいは、何らかのディスプレイ技術を含み得る。
【００３１】
前記ユーザーインターフェース212は、前記ディスプレイ204に重ねられたあるいは組み込まれた、ユーザーが指または与えられたスタイラスペンでディスプレイ204の適切なエリアを押すことで表示された情報を簡単に選択できる、タッチスクリーンインターフェィスを含み得る。
【００３２】
択一的にあるいは追加的に、前記ユーザーインターフェース212は、前記ディスプレイ204に表示された項目や情報を選択する、あるいは、携帯通信端末200に情報を入力し得る、キーボード、キーパッド、タッチパッド、マイクロホンと組み合わせた音声-テキストコンバータ、及び/又は何か他の手段を含み得る。
【００３３】
前記プロセッサ222はさらに、送信機224と受信機220とにつながっている。
【００３４】
送信機224と受信機220は、インタネット及び/又は計算装置のネットワーク及び/又は他の携帯通信端末にデータを無線送信あるいはそれから受信するためのアンテナ226につながっている。
【００３５】
択一的に、前記携帯通信端末200は、ケーブルまたは当該技術分野で既知の他の接続装置によって、インタネットまたは他のネットワークにつなぎ得る。
【００３６】
前記ＧＰＳ受信機228は、ＧＰＳ衛星（図示省略）から位置データを受信するために適合される。
【００３７】
前記メモリー装置218は、揮発性メモリー装置、不揮発性メモリー装置、または両者を含む。
【００３８】
このメモリー装置218は、プロセッサ222で実行される後述の本発明のプログラムのいずれか、のようなソフトウエアプログラムを記憶し得る。
【００３９】
択一的に、プロセッサ222で実行される後述の本発明のプログラムのいずれか、のようなソフトウエアプログラムを、無線通信回線230および送信機224と受信機220とによるデータ通信を介して、リモートサーバ216と関連付けられている記憶装置に記憶し得る。
【００４０】
前記プロセッサ222は、コンベンショナルな信号・データ処理テクニック、とりわけ、  無線通信回線230を経て受信機220で受信した信号を処理し、無線通信回線230を経て送信機224で送信する信号を発生し、前記ユーザーインターフェース212やＧＰＳ受信機228から受け取ったデータ、ビデオそして他の情報を受け取りかつ処理し、データ、図、そしてビデオの電子ディスプレイ204での表示をコントロールするものを利用している。
【００４１】
前記プロセッサ222は、マイクロプロセッサ、マイクロコントローラ、デジタル信号プロセッサ(DSP)、状態マシン、論理回路、及び/又はその他の装置、あるいは装置の組み合わせを含み、前記メモリー装置218のようなメモリー装置に記憶されたプログラム命令あるいは操作指示に基づき情報を処理する。
【００４２】
なお前記プロセッサ222は、本発明の処理要件を処理するための要求に応じてマルチプロセッサとして構成され得ることを当業者は理解するであろう。
【００４３】
図３と図３（ａ）には、本発明に従う典型的な特性調整可能なゴルフクラブ232が示されている。
【００４４】
このゴルフクラブ232は、上部分242、該上部分242と反対側の底部243、ヒール部256、及び該ヒール部256と反対側のトウ部258を含む。
【００４５】
更にゴルフクラブ232は、ゴルフボールを打つ打撃面234、及び該打撃面234と反対側の後部260を含む。(図３（ｂ）参照)
また更にゴルフクラブヘッド232は、ヒール部256に隣接した前記上部分242からのびるホーゼル236、及びホーゼル236によってゴルフクラブ232に結合したシャフト238を含む。
【００４６】
このシャフトは、前記ホーゼル236に隣接するチップ端252と前記ホーゼル236の端部のバット端254とを具える。
【００４７】
そしてグリップ240が、バット端254近くでシャフト238に固着されている。
【００４８】
図３（ａ）と図３（ｄ）に示すように、シャフト238は、ホーゼル236に取り外し可能に固着して構成されている。
【００４９】
厳密に言えば、シャフト238は、12の異なる位置のいずれかで、ホーゼル236に取り付けることができ、その各位置は、ゴルフクラブ232のライ角とフェース角との一意的な組み合わせに対応している。
【００５０】
本発明の別の態様では、シャフト238は、12以上、あるいは12以下の位置で、ホーゼルに取り付けることができる。
【００５１】
択一的に、これらの位置は、ライ角を一定として独自のゴルフクラブのフェース角だけに対応する、あるいはフェース角を一定として独自のゴルフクラブのライ角だけに対応することができる。
【００５２】
択一的にあるいは追加的に、ゴルフクラブは、ロフト角が修正可能なように調整される。
【００５３】
留め具268は、ホーゼル236の内側ボアスペース内のゴルフクラブ232の底部243からのびる開口270を通して挿入可能である。
【００５４】
シャフト238のチップ250は、前記留め具268を受け取るためにネジ状の開口を含む。
【００５５】
本発明のいくつかの態様においては、シャフト238のチップ250は、さらにシャフトの軸方向にのびかつホーゼル236内でシャフト238の適正な位置に固定するためシャフト238の周囲に位置される隆起状のリッジ又は溝付きの凹部を含む。
【００５６】
前記ホーゼル236は、シャフト238がホーゼル236に挿入されるときにチップ250の回転移動が制限されるように、シャフト238のチップ端252を補足的な幾何学的に有する内側表面を含む。
【００５７】
シャフト238の位置は、留め具268をしっかりと締めることにより固着される。
【００５８】
本発明のいくつかの態様においては、シャフト238の位置を適切に固定するため、締め付けツールを具える。
【００５９】
そのようなツールとして、コンベンショナルなねじ回し、レンチ、アレンレンチ、アレンキー、トルクレンチ、多角形断面を有するレンチ、特許で保護された断面形を有するレンチ、または同様のものを含み得る。
【００６０】
本発明の一つ以上の態様において、前記締め付けツールは、トルク検出装置と、選択的に留め具に加えられている現在のトルクをユーザーに示す、及び／あるいは、限界トルクに達したまたは超えたことをユーザーに示すインジケータとを含む。
【００６１】
図３に示すように、インジケータのしるし262aがゴルフクラブ232のホーゼル部236
に設けられている。
【００６２】
また、第二のしるし262bのセットが、シャフト238のチップ端252の近くに設けられている。
【００６３】
この第二のしるし262bのセットは、ライ角のオフセット値とフェース角のオフセット値とを示す一連の漸増的なマークを含む。
【００６４】
第二のしるし262bのセットと支持するしるし262aとの合致は、シャフト238の位置を表している。
【００６５】
ライ角とフェース角との調整は、ホーゼル軸から放射方向にオフセットするシャフト軸を有するシャフトによって可能である。
【００６６】
このシャフト238とホーゼル236と設定は、非変形の特性調整機能で構成される。
【００６７】
前述の非変形の特性調整機能とは、ゴルフクラブのいかなる部材の明白なプラスチックの変形の結果となることなくゴルフクラブの正規の修正を可能とするゴルフクラブ232のようなゴルフクラブの機能を示す。
【００６８】
図３（ｂ）と図３（ｃ）では、第一の錘ポート244aがゴルフクラブ232の後部260に隣接して位置し、第二の錘ポート244bがゴルフクラブ232のヒール部256に隣接して位置している。
【００６９】
複数の錘エレメント246aと246bが、それぞれ、第一の錘ポート244aと第二の錘ポート244bとに、取り外し可能に固定化して構成される。
【００７０】
具体的に言うと、複数の錘エレメント246aと246bとはネジ部を含み、コンベンショナルなねじ回し、レンチ、アレンレンチ、アレンキー、または同様のものなどの締め付けツールを用いて、複数の錘エレメント246aと246bとは複数の錘ポート244aと244bとのネジ部に対応して固定され得る。
【００７１】
本発明の一つ以上の態様において、前記締め付けツールは、トルク検出装置と、選択的に、留め具に加えられている現在のトルクをユーザーに示す、あるいは、限界トルクに達したまたは超えたことをユーザーに示すインジケータとを含む。
【００７２】
錘ポートの複合体及び対応する取り外し可能な錘は、ゴルフクラブ232の非変形の特性調整機能からなる。
【００７３】
本発明の一つ以上の態様において、ユーザーは、一式の複数の錘エレメントから、第一の錘ポート244aと第二の錘ポート244bのそれぞれの中に入れる複数の錘エレメントを選択し得る。
【００７４】
本発明のいくつかの態様においては、この一式の複数の錘エレメントは、3グラム、7グラムそして11グラムの質量を有する複数の錘エレメントを含む。
【００７５】
本発明の別の態様において、前記一式には、より小さい又はより大きい錘エレメントが含まれる。
【００７６】
択一的に、または追加的に、前記一式には、異なる質量の錘エレメントが含まれる
当業者は、このような特性調整可能な特徴が、ウェッジタイプのゴルフクラブとハイブリッドタイプのゴルフクラブとを含むアイアンタイプのゴルフクラブやパタータイプのゴルフクラブのような他のタイプのゴルフクラブの構造にも取り入れ得ることを、理解するであろう。
【００７７】
また当業者は、追加的にあるいは択一的に、特性調整可能な特徴は、選択的にアドレス状態で方向づけると、異なるフェース角を持つゴルフクラブヘッドを可能にするための再配置可能又は交換可能なソール又はソール板、可変剛性の打撃面、複数の不連続位置の１つに再配置可能なシャフト、取り外し可能な打撃面、取り外し可能な上部分又はクラウンを含むゴルフクラブ232の構造にも取り入れ得ることを理解するであろう。
【００７８】
本発明の一つ以上の態様において、ゴルフクラブやゴルフ製品を選択する際、あるいは特性調整可能なゴルフクラブ例えば特性調節可能なゴルフクラブ232を再設定する際に、ユーザーを支援するための、ユーザー対話型ソフトウエアプログラムが、コンピューターが読み取り可能な媒体例えばメモリー218上で具現化される。
【００７９】
明確にするために、ソフトウエアプログラム、関連する方法そしてシステムについて、前記特性調整可能な図３に示されるゴルフクラブ232を考慮して、図２と図２（ａ）に示す携帯通信端末200を基に説明する。
【００８０】
そのようなソフトウエアプログラム、方法そしてシステムはまた、図１と図１（ａ）に示すような計算機100の同様の特徴によって実行することも、また同様の特徴を有する当該技術分野で既知の他の計算装置によっても実行することも、そして、同様の調節可能な特性、あるいは当該技術分野で既知の別の調節可能な特性を有する他のゴルフクラブを考慮して実行することも可能であることを当業者は理解するであろう。
【００８１】
本発明の一つ以上の態様において、特性調整可能なゴルフクラブを再設定する際に、ゴルファーを支援するためのソフトウエアプログラムは、携帯通信端末200のメモリー218に記憶されている。
【００８２】
本発明の一つ以上の別の態様において、このソフトウエアプログラムは、リモートサーバ216と関連付けられている、コンピューターが読み取り可能な記憶装置に記憶され、この記憶装置は、送信機224と受信機220とを介して前記プロセッサ222によってアクセスされ、いくつかの態様において、アクセスはコンベンショナルなウェブブラウザを用いてなされる。
【００８３】
以下に記載する一つ以上の発明的プロセスの前記各種ステップの相対的順序は、単に例示を目的とするものである。
【００８４】
以下に記載する一つ以上発明的プロセスの各種ステップは、省略される可能性があり、又はそのようなステップの関係順序は、本発明の精神と範囲を逸脱しない範囲で変更し得ることを当業者は理解するであろう。
【００８５】
図４に示すように、本発明の一つ以上の態様において、このソフトウエアプログラムは、プロセッサ222によって実行されたとき、プロセッサ222は、例えば図４（ａ）のスクリーンショット270で例示されるようなグラフィックユーザーインターフェース(ＧＵＩ)をディスプレイ204に表示する。
【００８６】
このＧＵＩは、ユーザーに、一つ以上からフィッティングサブプログラムのうちの１つのサブプログラムを選択することを促す。
【００８７】
そのようなサブプログラムは、（ａ）複数の異なるゴルフクラブやその構成部品及び選択的にユーザーのニーズに合ったゴルフクラブの構成から１つのゴルフクラブやその構成部品を選択する際に、ユーザーを支援するためのゴルフクラブ選択サブプログラム、選択的に、ユーザーの必要性に対するゴルフクラブを設定する(例えば、図４（ａ）のスクリーンショット270に示すような「TOTAL STAR FIT」)、（ｂ）特性調整可能なゴルフクラブの再設定、好ましくは非変形の再設定を実施する際に、ユーザーを支援するためのゴルフクラブ修正再設定サブプログラム(例えば、図４（ａ）のスクリーンショット270に示すような「CORRECTIVE STAR FIT」)、（ｃ）特性調整可能なゴルフクラブに対して微調整に限って調整を実施する際に、ユーザーを支援するためのゴルフクラブ微調整再設定サブプログラム(例えば、図４（ａ）のスクリーンショット270に表示されるような「FINE TUNE STAR FIT」)、（ｄ）ゴルフボールやゴルフ製品を選択する際、ユーザーを支援するためのゴルフボールや他のゴルフ製品の選択サブプログラムの一つ以上を含む。
【００８８】
そして、ユーザーは、ユーザーインターフェース212を使用して、実行したいサブプログラムを選択する。するとすぐ所望のサブプログラムが実行される。以下、一つ以上のこれらサブプログラムについてさらに論じる。
【００８９】
以下で論じる一つ以上のプログラム、方法及びシステムは、実際の情報に対応するデータの転送を含む。
【００９０】
そのような情報は、次に定義する様々な情報タイプに分類され得る。
【００９１】
「基本ゴルフクラブや基本ゴルフ製品の情報」
これは、新しいゴルフクラブやゴルフ製品又はそれらの構成を選択するために、ユーザーが修正したい即ちベースとして使用したいゴルフクラブやゴルフ製品の、一つ以上の特徴に関連する情報を意味する。
【００９２】
この「基本ゴルフクラブや基本ゴルフ製品の情報」の例として、以下の相対値あるいは絶対値を含む:ロフト角、ライ角、フェース角、クラブヘッド重量、クラブ総重量、シャフトフレックス、反発係数、再配置可能なソールプレートの位置、取り外し可能な錘エレメントの相対的あるいは絶対的な重量、及び再配置可能なシャフトの位置。
【００９３】
また基本ゴルフクラブの情報は、ゴルフクラブやその構成部品の識別情報、及び/又はある特定のゴルフクラブやその構成部品の出荷時設定に関連する情報を含み得る。
【００９４】
「軌道調節情報」
これは、ゴルフクラブやゴルフ製品の性能、若しくは感覚に関連する情報を意味する。
【００９５】
この「軌道調節情報」の例として、以下の相対値あるいは絶対値を含む。現在のボール飛距離、所望するボール飛距離、現在のボール飛距離と所望するボール飛距離との差、現在の打球のフェード又はドローの程度、所望するフェード又はドローの程度、現在の打球のフェード又はドローの程度と所望するフェード又はドローの程度との差、現在のボールスピンの値、所望するボールスピンの値、現在のボールスピンの値と所望するボールスピンの値との差、現在の軌道高さ、所望する軌道高さ、現在の軌道高さと所望する軌道高さとの差、あるいは前記値の何れかの最適値を表すデフォルト設定。
【００９６】
また、軌道調節情報は、ゴルフクラブが発する音及び/又はゴルファーが感じる振動を表す特徴を含む、ゴルフボール打球時にゴルフクラブが発する振動波の特徴を含み得る。
【００９７】
「環境に関する情報」
これは、ゴルフクラブやゴルフ製品に対して外的な特徴に関連する情報を意味する。
【００９８】
このゴルフクラブやゴルフ製品は、ユーザーが再設定したいと思うあるいは複数の異なるゴルフクラブやゴルフ製品から選択したいと思うものであり、ゴルフクラブやゴルフ製品の性能に影響を与えると理解される。
【００９９】
この環境に関する情報の例として、以下の相対値あるいは絶対値を含む。高度、天候状態天候状態、及びコースコンディション。
【０１００】
天候状態は、以下の相対値あるいは絶対値を含み得る。温度、平均風速、降水量のタイプ及び／又は程度、雲の覆い具合、及び風向。
【０１０１】
コースコンディションは、以下の相対値あるいは絶対値を含み得る。コースの湿り具合、フェアウェイの硬さ程度、及び一つ以上フェアウェイの狭さの程度。
【０１０２】
ユーザーが、ゴルフクラブ又はその要素を選ぶあるいは再設定することを可能に適合させたプログラムでは、ユーザーが使用するゴルフボールの特性は、環境に関する情報を成し得る。
【０１０３】
同様に、ユーザーが、ゴルフボールを選ぶことを可能に適合させたプログラムでは、ユーザーが使用している現在のゴルフクラブ、又はその要素の特性は、環境に関する情報を成し得る。
【０１０４】
図５には、本発明の一つ以上の態様における修正フィットサブプログラム306が詳しく示されている。
【０１０５】
このサブプログラム306は、携帯通信端末200のプロセッサ222によって実行されたとき、特性調整可能なゴルフクラブ232の修正再設定を実行する際のユーザー支援をする。
【０１０６】
本発明の一つ以上の別の態様において、このサブプログラム306は、実行されたとき、同様の調節可能な特性、あるいは、当該技術分野で既知の他の調節可能な特性を有する別のゴルフクラブの修正再設定を実行する際のユーザー支援をする。
【０１０７】
択一的にあるいは追加的に、このサブプログラム306は、実行されたとき、ゴルファーに、複数のゴルフクラブを擁するセットの中からそれを考慮してサブプログラム308を実行させたい１つのゴルフクラブを選択することを可能とする。
【０１０８】
この態様では、ユーザーによるゴルフクラブの選択に基づいて、プロセッサ222は、ゴルフクラブのセットの各ゴルフクラブに各種、関連するデータ間から、また、選択されたゴルフクラブに関するデータをライブラリーから引き出す。
【０１０９】
ステップ310と312とでは、基本ゴルフクラブ情報の入力をユーザーに促す第一のＧＵＩがディスプレイ204に表示される。
【０１１０】
具体的に言うと第一のＧＵＩは、ユーザーに、第一の錘ポート244aと第二の錘ポート244b(図３（ａ）参照)のそれぞれの中に存在する現在の取り外し可能な錘エレメント246aに対応する値を、3グラム、7グラム、11グラムの選択肢から入力することを促す。
【０１１１】
第一のユーザー入力が受け取られ記憶される。
【０１１２】
そして、シャフトの現在の位置を、可能な複数のシャフト位置から選択することをユーザーに促す第二のＧＵＩが表示される。
【０１１３】
特に、前記ＧＵＩは、ユーザーに、ライ角に対応する第１の値及びフェース角に対応する第２の値を選択することを促す。
それに対する第二のユーザー入力が受け取られ記憶される。
【０１１４】
本発明のいくつかの態様では、ＧＵＩは、例えばＡ−ＦＬＥＸ、ＲＥＧＵＬＡＲ、ＳＴＩＦＦ、そしてＸ−ＳＴＩＦＦ等の可能なシャフトフレックスの選択の間からなるフレックスなど、現在のシャフトの特徴に関連ある情報を入力することをユーザーに促進する。本発明のいくつかの態様では、ＧＵＩは、ユーザーの現在のゴルフクラブのロフト角を入力することをさらに促す。
【０１１５】
本発明の別の態様は、基本ゴルフクラブ情報に対応をするいくつかの又は全てのユーザー入力が、シングルＧＵＩに促進される。
【０１１６】
本発明のいくつかの態様では、上記で論じられた追加例示基本ゴルフクラブ情報のような追加基本ゴルフクラブ情報が要求される。その結果は、プロセッサ222に回収され、メモリー218に記憶される。
【０１１７】
ステップ314と316では、軌道調節情報が要求され、そして、ユーザーから受け取られメモリーに記憶される。
【０１１８】
具体的に言うと、ある態様では、ＧＵＩが、ユーザーに、「Get rid of slice(スライスを取り除く)」または「Get rid of draw(ドローを取り除く)」を選択することを促す。そのユーザー入力の結果は、次に取り出されメモリー218に記憶される。
【０１１９】
ステップ318では、このサブプログラム306は、プロセッサ222に、潜在的入力データと図５（ａ）に示される潜在的再設定情報との間の論理的関係を含む一以上の記憶された論理化可能なデータベースと入力データとを関連付けさせる。
【０１２０】
具体的に言うと、第一の論理的可能データベース322は、基本ゴルフクラブ情報の潜在的ユーザー入力322ａ(例えば、ユーザー選択されたシャフト位置に関連するデータは、フェース角やライ角に細分化される)、軌道調節情報322ｂ(例えば、関連再設定は、ユーザーがスライスの修正を選択するか、ユーザーがドローの修正を選択するかに細分化する)と、潜在的再設定情報(例えば、フェース角値とライ角値とを含む、シャフト位置に対して推奨される調整)との間の関係を含む。
【０１２１】
操作の例として、ユーザーは、現在のシャフト位置がフェース角が開き度１．０°及びライ角が出荷時設定から上方２．０°を含むことを指摘する。
【０１２２】
ユーザーは、さらに、スライスを修正するために要求を指摘する。
【０１２３】
そのような入力に基づいて、プロセッサ222が、データベース322の活用により、閉じ度１．５°及びライ角が出荷時設定から下方０．５°を含むシャフト位置、すなわちケース１０に対応するユーザーの所望の設定を推測する
第二の論理的可能データベース324は、基本ゴルフクラブ情報の潜在的ユーザー入力324ａ、軌道調整情報324ｂと、再設定情報との関係を追加して記憶する。このデータベース324では、基本ゴルフクラブ情報は、ユーザーのゴルフクラブの第一の錘ポート244a(すなわち、「バック」錘ポート)と第二の錘ポート244b(すなわち「フロント」錘ポート)のそれぞれの位置する現在の錘エレメントの質量値を含む。前記軌道調整情報324ｂは、ユーザーがより高い軌道を望んでいるのか、又はユーザーがより低い軌道を望んでいるのかを含む。再設定データは、第一の錘ポート244aと第二の錘ポート244bとのそれぞれと関連する錘エレメントを選択する際にユーザーを支援するための所望の質量値を含む。
【０１２４】
操作の例としては、ユーザーは、現在の錘エレメント設定が、「フロント」錘ポートに関連する７グラムの錘エレメントと、「バック」錘ポートに関連する３グラムの錘エレメントとを含むことを指摘する。
【０１２５】
ユーザーは、さらに、より低い軌道のための要求を指摘する。
【０１２６】
ユーザー入力情報に基づいて、プロセッサは、データベース324の活用により、「フロント」錘ポートに関連する１１グラムの錘要素と、「バック」錘ポートに関連する３グラムの錘エレメントとを含むユーザーの所望する錘エレメント設定を推測する。
【０１２７】
この発明の別の態様は、ステップ314及びステップ316として軌道調整情報の受け取り及び促進が、第一の視覚化軌道形状364及び第二の視覚化軌道形状366のそれぞれの操作による現在及び要求される打撃軌道の選択をユーザーにとって可能にさせる第１ＧＵＩ360及び図5（b）に示される第２ＧＵＩ362を提供することによって実行される。
【０１２８】
具体的には、第一のＧＵＩ360は、複数の十字線368ａ、368ｂの位置の再配置を介して、ユーザーの現在の打撃形状に対応する現在のスライス又はフックの程度、現在の打撃飛距離の程度、及び現在の打撃軌道の最大高さの程度を選択することにより第一の視覚化軌道形状364を操作することをユーザーに促進する。
【０１２９】
第二のＧＵＩ362は、複数の十字線370ａ、370ｂの位置の再配置を介して、ユーザーの要求する打撃形状に対応する所望の打撃飛距離の程度、所望の最大高さの程度、及び所望のスライス又はフックの程度を選択することにより第二の視覚化軌道形状364を操作することをユーザーに促進する。
【０１３０】
メモリー、例えばメモリー218にこの結果が記憶又は回収される。
【０１３１】
本発明のいくつかの態様において、上記サブプログラム306は、プロセッサ222の現在及び要求される軌道形状のそれぞれによるユーザー選択の十字線の配置に基づいて、ユーザーのゴルフクラブの性能を高めるために修正の際、ゴルファーを支援するために再設定情報を決定するための指令を含む。
【０１３２】
具体的には、本発明のいくつかの態様では、サブプログラム306は、前記ＧＵＩ360及び362のユーザー相互作用から受け取ったデータに専ら基づいた再設定情報を推測することをプロセッサ222に指令する。
【０１３３】
例えば、いくつかの態様では、ＧＵＩ360を使用して、ユーザーは、十字線368ａ及び368ｂの位置を確認する。そして、各十字線368ａ及び368ｂの位置（即ち、現在の軌道形状）に対して、水平（即ち、Ｘ座標）値がメモリーに記憶され、かつ、垂直（即ち、Ｙ座標）値がメモリーに記憶される。それによって、その座標系の原点が、表示画面の最底部、最左コーナーに位置する。
【０１３４】
次に、ユーザーは、ＧＵＩ362を使用して、十字線370ａ及び370ｂの各位置を確認する。
【０１３５】
十字線370ａ及び370ｂの位置（即ち、所望する軌道形状）に対して、水平（即ち、Ｘ座標）値がメモリーに記憶され、かつ、垂直（即ち、Ｙ座標）値がメモリーに記憶される。それによって、その座標系の原点が、表示画面の最底部、最左コーナーに位置する。
【０１３６】
次に、プロセッサ222は、十字線370ａ及び368ａの位置のＸ座標値の差を求めて水平軌道修正値を決定し、かつ十字線370ｂ及び368ｂの位置のＹ座標値の差を求めて垂直軌道修正値を決定する。
【０１３７】
いくつかの態様では、水平軌道修正値に基づいて、プロセッサ222が、ユーザーがフェード修正かドロー修正かのいずれを要求するかを決定する。例えば、前記サブプログラムは、水平修正値（即ち、十字線368ａの位置のＸ座標値と十字線370ａの位置のＸ座標値との差）が負ならば、フェード修正を推測、及び水平修正値が正ならば、ドロー修正を推測することをプロセッサ222に指令する。
【０１３８】
この推測に基づいて、ある態様では、第１再設定値（例えば、推奨されたシャフト志向に対応する値）は、フェード修正が推測されたならばディスプレイ204に出力され、異なる第２再設定値は、ドロー修正が推測されたならばディスプレイ204に出力される。
【０１３９】
同様に、ある態様では、プロセッサ222は、軌道最高点の増加か、軌道最高点の減少かのいずれかのユーザー要求を決定する。
【０１４０】
具体的には、サブプログラム306は、垂直修正値（即ち、十字線370ｂのＹ座標値と十字線368ｂのＹ座標値との差）が負である場合、軌道最高点の所望の減少に対応する第１軌道最高点修正値を推測すること、及び垂直修正値が正である場合、軌道最高点の所望の増加に対応する第２軌道最高点修正値を推測することをプロセッサ222に指令する。
【０１４１】
この推測に基づいて、第３再設定値は、軌道最高点の所望の減少が推測されると、ディスプレイ204に出力され、及び、第４再設定値は、軌道最高点の所望の増加が推測されると、ディスプレイ204に出力される。
【０１４２】
しかしながら、本発明の他の態様では、サブプログラム306は、再設定情報として、垂直修正値及び水平修正値に基づく潜在的軌道調整値の範囲から軌道修正に関する程度（例えば、フェード又はドロー修正及び軌道最高点修正）に対応する値を推測することをプロセッサ222に指令する。
【０１４３】
択一的には、あるいは追加的に、プロセッサ222は、水平修正値と垂直修正値とを統合した基準による再設定情報を推測する。
【０１４４】
このケースでは、一般的にシャフト調整がライ角とフェース角と同時に影響を及ぼす利点がある。
【０１４５】
さらに、例えばライ角などの単一パラメーターの調整は、軌道最高点とフェード又はドロー軌道特徴との両方に影響を及ぼし得る。
【０１４６】
本発明のいくつかの態様では、サブプログラムは、以前に受け取られたデータ及び／又はサブプログラムの後の過程で受け取られたデータを統合したＧＵＩ360、362によるユーザー相互作用から受け取ったデータに基づいて再設定情報を決定することをプロセッサに指令する。
【０１４７】
例えば、このような本発明の態様では、プロセッサ222は、現在のゴルフクラブ特性、及び／又は選択的に平均風速を含む天候状態、及び／又は芝の硬さのようなコース状態であるユーザーの現在のゴルフクラブ設定に対応するデータを統合する水平及び垂直修正値の基本をもとに再設定情報を推測するために適合される。
【０１４８】
そのような推測は、論理化可能なデータベース又は記録されたアルゴリズム、あるいはこのようなもので形成される予め決定された関係に対応して実行される。
【０１４９】
この発明のある態様では、軌道修正情報314の入力をユーザーに促進させ及びそのような情報316を記録させるステップは、応答性情報の記録や応答性情報の入力をユーザーに促進することを含む。
【０１５０】
本発明のそのような態様は、ＧＵＩが、感覚の多様な特徴を表している値を選択することをユーザーに促進させるテキスト及び／又はグラフィックを表示する。
【０１５１】
具体的には、ディスプレイは、複数の選択可能な打撃錘値の間から打撃錘値を選択することをユーザーに促進する。
【０１５２】
いくつかの態様での表示されたＧＵＩは、より軽くより早いシャフト感覚に対応する、より低い打撃錘値、及びより重い感覚を有するゴルフクラブに対応するより高い打撃錘値をユーザーに知らせる。
【０１５３】
追加的に、表示されたＧＵＩは、ロウからハイまでの複数の多様な範囲の間から軌道高さ値を選択することをユーザーに促す。
【０１５４】
ついに、ディスプレイは、「真っ直ぐに安定」から「操作性」まで複数のプレー能力値の範囲からプレー能力値を選択することをユーザーに促進する。
【０１５５】
結果として、ユーザー入力値は、メモリー218に記録及び受け取られる。
【０１５６】
択一的にあるいは追加的に、ソフトウエアプログラムは、一つ以上の数学的アルゴリズム、あるいは、当該技術分野で既知の他の論理構造を使用することによって、例えば再設定情報などの、ユーザー入力情報と出力情報とを関係させることをプロセッサ222に指令する。
【０１５７】
本発明のいくつか態様において、ユーザー入力情報と再設定情報との間の関係を規定する論理構造は、複数のユーザー入力値とただ１つの再設定値との関係、又は、ただ１つのユーザー入力値と複数の再設定値との関係であるロジックを含み得る。
【０１５８】
再設定情報の上記決定に基づいて、プロセッサ222は、ステップ320に際し、ディスプレイ204上にユーザー入力情報に関する再設定情報に対応する一つ以上の値を表示させる。
【０１５９】
この表示された情報から、ユーザーは、ゴルフクラブ232の性能がそのユーザーにとって改善するような形で、ゴルフクラブ232を適切に再設定できる。
【０１６０】
ユーザー入力情報と出力再設定情報とは、第一のデータベース322と第二のデータベース324とに用意されているものに限定されない。
【０１６１】
同様に、そのような入力情報、軌道調整情報、環境情報と再設定情報との間の関係のロジックも、第一のデータベース322と第二のデータベース324とにある論理的関係性に限定されない。
【０１６２】
このように、本発明の別の態様では、他の基本ゴルフクラブ設定情報、軌道調節情報、そして環境に関する情報が使用され、及び／又はさらなる基本ゴルフクラブ設定情報、軌道調節情報、そして環境に関する情報が使用される。
【０１６３】
経験上の方法、計算方法、及び／又はこの様な方法は、そのような別のあるいは追加の情報を規定する適切な関係を立ち上げるために実行されるかもしれない。
【０１６４】
択一的にあるいは追加的に、このサブプログラム306は、実行されたとき、第一のＧＵＩに、「出荷時設定」の選択を提供させる。
【０１６５】
ユーザーによってこれが選択されたとき、プロセッサ222は、出力される再設定情報の決定の基礎を、ゴルフクラブ232と関連付けられて記憶された出荷時設定情報に置く。
【０１６６】
図６には、本発明の一つ以上の態様における、微調整フィッティングサブプログラム308が詳しく示されている。
【０１６７】
このサブプログラム308は、携帯通信端末200のプロセッサ222によって実行されたとき、特性調整可能なゴルフクラブ232の最終的再設定を実行する際のユーザー支援をする。
【０１６８】
本発明の一つ以上の別の態様において、このサブプログラム308は、実行されたとき、同様の調節可能な特性、あるいは、当該技術分野で既知の他の調節可能な特性を有する異なるゴルフクラブの微調整再設定を実行する際のユーザー支援をする。
【０１６９】
択一的にあるいは追加的に、このサブプログラム308は、実行されたとき、ゴルファーに、複数のゴルフクラブを擁するセットの中から、それを考慮してサブプログラム308を実行させたい１つのゴルフクラブを選択することを可能とする。
【０１７０】
本発明のこれらの態様では、プロセッサ222は、ユーザーによるゴルフクラブの選択に基づいて、前記メモリー218及び/又は前記リモートサーバ216と関連付けられている、ゴルフクラブのライブラリーのそれぞれのゴルフクラブに属するメモリーに記憶され、ゴルフクラブのセットのゴルフクラブのおのおのと種々に関連するデータの中から、選択されたゴルフクラブに関連するデータを基本ゴルフクラブ情報に基づいて、選択的に用いる。
【０１７１】
図６に示すように、ステップ332と334とでは、基本ゴルフクラブ情報が要求され、ユーザーから受け取られ記憶される。
【０１７２】
具体的には、基本ゴルフクラブ情報の入力をユーザーに促す第一のＧＵＩ272（図６（ｄ）に示される）が、ディスプレイ204に表示される。
【０１７３】
具体的に言うと、第一のＧＵＩ272が、第一の錘ポート244a(すなわち「後方錘」)に現在の関連付けられた取り外し可能な錘エレメント246aに対応する第１質量値を、3グラム、7グラム、11グラムの間の選択肢から選択し、そして第二の錘ポート244b(すなわち「前方錘」)に現在関連付けられた取り外し可能な錘エレメント246bに対応する第２質量値を、3グラム、7グラム、11グラムの間の選択肢から選択することを、ユーザーに促し(図６（ｄ）参照)、その第一のユーザー入力が受け取られ記憶される。
【０１７４】
そして、ゴルフクラブ232の複数の可能なシャフト位置から、１つの現在のシャフト位置を選択することをユーザーに促す第二のＧＵＩ274が表示される(図６（ｄ）参照)。そして第二のユーザー入力が受け取られ記憶される。
【０１７５】
本発明の別の態様では、第一及び第二のＧＵＩ272、274は、以前入力した基本ゴルフクラブ情報及び／又は既定の基本ゴルフクラブ情報を表示する。
【０１７６】
それにより、ユーザーは、ゴルファーの現在のゴルフクラブ設定を反映するため、そのような基本ゴルフクラブ情報を修正すること又はこのような調整を確認することを促される。
【０１７７】
ステップ336と338とでは、軌道調節情報が求められ、ユーザーから受け取られ記憶される。
【０１７８】
具体的に言うと、フェードまたはドローのいろいろな程度のショット形状を表すところの、−５から＋６の範囲の１２の漸増的な値から、現在のショット形状を示す１つの値を選択することを、ユーザーに可能とする第三のＧＵＩ276が表示される(図６（ｄ）参照)。負の値はドローショットを、正の値はフェードショットを表している。ユーザーが入力した選択が受け取られ記憶される。
【０１７９】
図６と図６（ａ）とに示すように、ステップ340と342とでは、サブプログラム308は、プロセッサ222に、記憶された論理化データベース264、266（図６（ｂ）参照）に基づいて、例えば再設定データである出力データと入力データを関連付けさせ、そしてその結果を前記メモリー218に記憶させる。
【０１８０】
具体的に言うと、所望するショット形状に対してユーザーによって入力された値は、現在のショット形状に対してユーザーによって入力された値から引き算され、そして、その結果は、「実調節」値として記憶される。
【０１８１】
データベース264を使用してこの「実調節」値は、「スケール化調節」値と関連付けされる。
【０１８２】
ある実施形態では、「実調節」値は、スケール化されず、従って、推奨する再設定情報に比例する。
【０１８３】
しかしながら、ユーザーらのショット不足を拡大するユーザーの傾向を幾分保証するために、（この場合では、所望のショット形状値と実際のショット形状値との差である）軌道情報は、好ましくはスケール化される。
【０１８４】
具体的には、データベース264によって例示され、ショット形状値の差と少なくとも一つの推奨されるフェース角及びライ角との間の関係が、間接的に比例する。
【０１８５】
次に、データベース266が、この「スケール化調節」値を再設定情報と関連付けるため使用され、この再設定情報は、ある推奨されるフェース角とある推奨されるライ値、あるいは、本発明のいくつかの態様においては、ゴルフクラブ232が前記所望のフェース角と所望のライ角とを有することになるであろうシャフト位置に対応する表記を含む。
【０１８６】
具体的に言うと、データベース266は、ゴルフクラブ232のシャフト238の12の漸増的な位置の縦型リストを含み、各位置は、ある特定のフェース角と、ライ角のオフセット値の一意的な組み合わせによって定義される。
【０１８７】
この「スケール化調節値」は、ユーザーのゴルフクラブの現在のシャフト位置に対応する値から、推奨されるシャフト位置に到達するまでの、縦にシフトする位置の数に相当する。
【０１８８】
負の「スケール化調節値」は上向きのシフトに相当し、正は下向きのシフトに相当する。  本発明のいくつかの態様では、その結果として生じる再設定情報を、例えば、環境情報に関する入力に基づいて、さらに操作しうるように記憶される。
【０１８９】
選択的に、あるいは追加的に、前記の結果として生じる再設定情報は、この時点でユーザーに表示される。
【０１９０】
この発明のいくつかの態様では、そのような再設定情報は表示され、そしてユーザーは、環境情報をさらに検討する（それは前記したような、結果として生じる再設定情報の修正になるかもしれない）ことを求めるかどうかが促がされる。
【０１９１】
操作の例として、ゴルフクラブ232を有するユーザーは、再設定可能なシャフト238が、フェース角が１．０°閉じられ、ライ角が０°のオフセットが現在の設定であることを指摘する。
【０１９２】
ユーザーは、実際の調整値が３と指摘されたデータを入力する。
【０１９３】
データベース264を使用することによって、プロセッサ222は、スケール調整値である２を実際の調整値である３と互いに関連付ける。
【０１９４】
データベース266を使用することによって、プロセッサ222は、フェース角が１．５°閉じられ、ライ角が０．５°オフセットされた所望のシャフトの設定を決定する。
【０１９５】
図６（ｃ）に示すように、本発明のいくつかの態様では、上記記載について、前記サブプログラム308はさらに、環境に関する情報に対応するユーザー入力情報が要求され、受け取られ、そして記憶されるステップ344と346とを含む。
【０１９６】
ＧＵＩ278を使用して(図６（ｄ）参照)、前記環境に関する情報は、1は「無風(Calm)」にそして5は「烈風(Heavy Winds)」に対応する1から5の複数の漸増値の中からユーザーが選択する「風の状態」に対応する１つの値を含む。
【０１９７】
この環境に関する情報はさらに、１は「ソフト(Soft)」、５は「硬い(Firm)」に対応する1から5の漸増的な複数の利用可能な値の中から、ユーザーが選択する「芝の状態」を表す１つの値を含む。
【０１９８】
またさらに、環境に関する情報は、１は「タイト(Tight)」、５は「ワイド(Wide)」に対応する1から5の複数の漸増値の中からユーザーが選択する「フェアウェイコンディション」を表す１つの値を含む。
【０１９９】
これらのユーザーが入力した選択は、メモリー218に記憶される。
【０２００】
ステップ348と350とにおいて、サブプログラム308は、プロセッサ222に、ユーザーが入力した環境に関する情報を、性能を改善するためにゴルフクラブ232を再設定する際にユーザーを支援するための再設定情報と関連付けさせる。
【０２０１】
図６（ｅ）に、このステップ348が、複数のサブステップ含むものとして、更に詳しく示されている。
【０２０２】
ステップ348aにおいて、サブプログラム308は、前記「風の状態」に関する入力情報と「芝の状態」に関する入力情報とに基づいて、データベース354（図６（ｆ）に示す）に含む前記論理的関係性を適用することによって、プロセッサ222に、「軌道変化値」を生成させる。その結果は、ステップ348ｂに記憶される。
【０２０３】
ステップ348cにおいて、サブプログラム308は、「フェアウェイコンディション」の入力値に基づいて、論理的可能データベース356（図６（ｆ）に示す）に含まれる関係を適用することによって、プロセッサ222に、「スイング重量(Swing Weight)」値を決定させ、そして、その結果はステップ348ｄに記憶される。
【０２０４】
ステップ348eでは、サブプログラム308は、ステップ348aと348cとの結果に基づいて、論理的可能データベース358（図６（ｇ）に示す）に含まれる論理的関係性を適用することによって、第一の錘ポート244aに対応する所望の重量エレメント値と第二の錘ポート244bに対応する所望の重量エレメント値とを含む再設定情報を、プロセッサ222に決定させる。その結果は記憶される。
【０２０５】
また図６（ｃ）に示すように、ステップ352では、ステップ344、348がもたらす再設定情報は、ディスプレイ204に表示される。
【０２０６】
この表示された情報から、ユーザーは、ゴルフクラブ232の性能がそのユーザーにとって改善するというような形で、ゴルフクラブ232を適切に再設定できる。
【０２０７】
操作の例として、ユーザーは、ステップ332では、１１グラムの前錘と３グラムの後錘を含む現在の錘設定を入力する。
【０２０８】
ステップ348ａでは、ユーザーは、「風状態」の値２と、「芝状態」の値３を入力する。
【０２０９】
プロセッサは、データベース354の使用が、「軌道変化値」を「より高く」と推測する。
【０２１０】
ステップ348ｃでは、ユーザーが「フェアウェイ状態」の入力値２を入力する。
【０２１１】
データベース356の使用により、プロセッサは、「スイング重量(Swing Weight)」値を「より重く」を推測し、そして、ステップ348ｄで、その結果を記憶する。
【０２１２】
その次に、ステップ348ｅでは、プロセッサが、データベース358で使用される推奨された錘構成を含む再設定情報を推測する。
【０２１３】
具体的には、プロセッサは、入力された現在の錘設定である軌道変化値及びスイング重量に対し、１１グラムの前錘と７グラムの後錘との推奨される錘設定を推測する。
【０２１４】
本発明の一つ以上の別の態様において、ユーザーは、１以上の地理的位置及び/又はゴルフコース識別情報を含む位置情報に関する情報の入力を促される。
【０２１５】
位置情報を受け取ることによって、プログラムは、プロセッサに、例えば、ステップ348ａにおいて、環境に関する情報を直接ユーザーに要求し受け取ることに代わり或いはそれに加えて、リモートサーバ又はメモリー218に記憶されたデータから環境情報を受け取らせる。
【０２１６】
具体的には、これら他の態様では、サブプログラム308は、プロセッサ222に、送信機224を介して、またオプションとして他のネットワークやインタネットを介したコンベンショナルなウェブサービスを利用して、ユーザーが入力した位置情報をリモートサーバ216へ送信させる。
【０２１７】
リモートサーバ216は、前記位置情報に基づき、風の状態、芝の状態、及び/又はフェアウェイサイズのような環境に関する情報を、プロセッサ222へ送信する。
【０２１８】
そして、本発明のある態様では、プロセッサ222は、受け取った環境に関する情報を、そのようなデータ変換を規定する記憶された関係に基づき、データベース354、356、358とともに使用するのに適切な値へ変換する。
【０２１９】
本発明の一つ以上の別の態様において、サブプログラム308は、ステップ344で位置情報を含む環境に関する情報のユーザー入力を求めて受け取ることの代わりに或いはそれに加えて、ＧＰＳ受信機228とリモートサーバ216とを使用して、環境情報を取得する。
【０２２０】
具体的に言うと、サブプログラム308は、プロセッサ222に、ＧＰＳ受信機228を介してＧＰＳ衛星からの位置データを要求させる。
【０２２１】
受け取った位置データに基づき、サブプログラム308は、プロセッサ222に、インタネット（又は他のネットワーク）、送信機224、受信機220を介してリモートサーバ216から受信した位置データに関連する必要な環境情報の受信と記憶とを要求させる。
【０２２２】
そして、もし必要であれば、プロセッサ222は、受信した環境に関する情報を、そのようなデータ変換を規定する記憶された関係に基づき、データベース354、356、358とともに使用するのに適切な値へ変換する。
【０２２３】
本発明の一つ以上の態様において、ユーザーから受け取り記憶された情報のすべてあるいは任意の何れかは、ユーザーが後でそのような情報を取り出して修正するために、不揮発性メモリーに記憶され得る。
【０２２４】
ユーザーが入力する情報と再設定情報は、データベース354、356、358に用意されているものに限定されない。
【０２２５】
同様に、そのような入力情報と再設定情報とで統制する論理関係も、データベース354、356、358が提供する論理的関係に限定されない。
【０２２６】
このように、本発明の別の態様では、入力情報は、上述の基本ゴルフクラブ情報、軌道調節情報、環境に関する情報の何れかの組み合わせのほかに、当該技術分野で既知の任意のさらなる基本ゴルフクラブ設定情報、軌道調節情報、環境に関する情報を含む。これによって、論理的関係性は、計算的、経験的、及び／又はこのように発展された論理的関係性のような、別のあるいは追加的に規定する情報を与えられる。
【０２２７】
選択的、あるいは追加的に、基本ゴルフクラブ情報、及び／又は軌道修正情報が、データの変換許可に従って、形態通信端末200と接続するセンサー機器の使用によって携帯通信端末200に電子的に入力され得る。
【０２２８】
例えば、ゴルフクラブ情報は、ゴルフクラブの上、又は近傍に配される撮影装置に使用する携帯通信端末、及び／又は位置センサーによって検出される。
【０２２９】
たった一つ又はくみ合わせによる位置センサーの相対的配置は、ライ角、ロフト角及びフェース角のようにゴルフクラブ232の明確な特性を指摘する。
【０２３０】
選択的、あるいは追加的に、ゴルフクラブ232上又は近傍に配される識別装置は、その予め定められた特性に対応するデータを選択的に含め、ゴルフクラブ232の識別を指示する携帯通信端末200に情報を送信するために使用され得る。
【０２３１】
同様に、軌道調節情報は、ゴルフクラブ上又は近傍に配されるセンサー機器、及び／又は電子式起動モニターのような撮影装置の使用によって電子的に決定され得る。
【０２３２】
本発明のいくつかの態様では、そのような装置は、スイング特性及び／又は軌道特性計測し、そして、本発明に従って１以上のソフトウエアプログラムと一体となって使用する携帯通信端末200にそのような特性を示すデータを送信する。
【０２３３】
図７（ａ）と図７（ｂ）には、本発明の一つ以上の態様における、ゴルフクラブヘッド400が示され、それは、上部分410、該上部分410と反対側の底部412、ヒール部406、そして該ヒール部406と反対側のトウ部408を有する。
【０２３４】
ヒール部406に隣接にて、シャフト(図示せず)を受け取るホーゼル404が上部分410から延びている。このホーゼル404は、ホーゼル中心線440を有する。
【０２３５】
さらにゴルフクラブヘッド400は、ゴルフボールを打つ打撃面402と、該打撃面402と向い反対側の後部414と具える。
【０２３６】
上部分410に隣接して、取り外し可能なカバープレート416が配されている。
【０２３７】
図７（ｂ）で具体的に言うと、カバープレート416は、留め具418でゴルフクラブヘッド400に固定されている。
【０２３８】
本発明の一つ以上の態様において、この留め具418は、ネジを含み、ねじ回し、レンチ、エイリアンレンチ、エイリアンキーのようなコンベンショナルなツールや同様のものを使用して挿入と取り外しとができる。  本発明の他の態様では、ゴルフクラブヘッド400は、取り外し可能なカバー板416に代わり、ヘッド400の内部表面に配されるエレメントにアクセスるため、取り外し可能なソール板を含む。
【０２３９】
本発明の他の態様では、ゴルフクラブヘッド400の部分は、少なくとも上部分410の部分と少なくとも底部412の部分が取り外し可能に含まれる。
【０２４０】
図７（ｃ）と図７（ｄ）に示すように、カバープレート416が取り外されたとき、移動可能な錘エレメント420a、420b、420cが露出する。
【０２４１】
第一の錘エレメント420aは、第一の放物線経路422aに沿って移動できる。
【０２４２】
第二の錘エレメント420bは、第二の放物線経路422bに沿って移動できる。
【０２４３】
第三の錘エレメント420cは、第三の放物線経路422cに沿って移動できる。
【０２４４】
本発明のいくつか態様において、前記経路422a、422b、422cの全てあるいは任意の何れかは、直線のあるいは曲線の経路を含む。
【０２４５】
図７（ｄ）に示すように、留め具424a、424b、424cは、錘エレメント420a、420b、420cそれぞれをゴルフクラブヘッド400に固定する。
【０２４６】
各留め具424a、424b、424cがいったん緩められると、複数の錘エレメント420a、420b、420cは、それぞれ経路422a、422b、422cに沿って自由にスライドできる。
【０２４７】
図７（ｅ）に示すように、各経路422a、422b、422cは、ゴルフクラブヘッド400の底部412の外から見える突起部を形成する。
【０２４８】
本発明の別の態様では、そのような突起部は、ほぼ半球状の横断面外形を具える。
【０２４９】
本発明の他の態様では、経路422a、422b、422cは、ゴルフクラブヘッド400の底部412から外に延びる突起部を形成しないが、底部412のほぼ輪郭に沿って形成される。そしてその経路は、開口528a、528b、528c(図示せず)を具え、それぞれエンドキャップ426a、426b、426cでそれぞれ覆われる。エンドキャップ426ａ、426ｂ及び426ｃがいったん取り除かれると、ゴルフクラブヘッド400の外面から錘エレメント420a、420b、420cにアクセスできる。
【０２５０】
図７（ｆ）に、本発明の一つ以上の態様における錘エレメント420bの断面７（ｆ）（図７（ｄ）参照）が示されている。
【０２５１】
図のように、この錘エレメント420bは、上部分430と下部分432とを具える。
【０２５２】
この下部分432と上部分430とは、経路422bの長手方向に延びる2つのL形状のリブ435よって分離されている。
【０２５３】
留め具424bが締め付けられたとき、上部分430と下部分432とは、L形状のリブ435に押し付けられ、錘エレメント420bを適切な位置に固定する。
【０２５４】
本発明の１以上の態様において、錘エレメント420ａと420ｃとは、錘エレメント420ｂと同様に構成され、これらのような構成特性を含む。
【０２５５】
図７（ｇ）において、ゴルフクラブヘッド400は基準位置にある。
【０２５６】
この「基準位置」は、ホーゼル中心線440が水平な接地面436に対して60度のライ角で方向づけられ、そして打撃面402とほぼ平行な仮想水平線を含む仮想垂直ホーゼル面438に位置するようなクラブヘッド400の位置を意味する。
【０２５７】
前記経路422a、422b、422cは、それぞれ、破線の曲線を含むものとして描かれている。
【０２５８】
ゴルフクラブヘッド400が前記基準位置にあるとき、各経路422a、422b、422cは、前後方向と上下方向の両方向に延びる。
【０２５９】
この経路の構成は、質量中心の位置及び/又はゴルフクラブヘッド400の慣性モーメントの大幅な自由度の高い調整を可能とする。
【０２６０】
図７（ｈ）には、調整工具500が示されている。
【０２６１】
この調整工具は、例えば、取り外し可能なバッテリや他のDC電源、あるいは、例えばコンベンショナルな電源コンセントを介したAC電源によって電気的に作動する。
この調整工具500は、電子的ディスプレイ502、ユーザーインターフェース504、ケーシング508、環状凹部510aを有する差し込み口510、押し具506を含む。
【０２６２】
本発明の一つ以上の態様において、押し具506は、該押し具506が実質的に放射方向には曲がり得るが軸方向には実質的に剛であり得るような、曲がりやすいが比較的非圧縮性の構成要素を含む。
【０２６３】
図７（ｉ）において、調整工具500は、ハードウェアプロセッサを含み得るコントローラ520、コントローラ520によって制御されるサーボモータ512、サーボモータ512にプーリー522でつながった駆動ギア514を含む。
【０２６４】
駆動ギア514は、歯514aを具え、前後方向に回転できる。
【０２６５】
駆動ギア514が回転すると、駆動ギア514の歯514aは押し具506の歯506aと噛み合っているので、押し具506は直線運動する。
【０２６６】
調整工具500はさらに、パーソナルコンピューター、携帯通信端末、電子打球モニターのようなリモートデータソースからデータを受け取りまたそれへ送信するための受信機/送信機524を含む。
【０２６７】
前記コントローラ520もまた、不揮発性メモリー装置、揮発性メモリー装置、またはその両方を含むメモリー516とつながっている。
【０２６８】
このように、コントローラ520は、下記記載の1つ以上のユーザー対話型調節ソフトウエアプログラムを実行するために、メモリー516あるいは前記入出力装置524を介してアクセスし得るリモートメモリー装置にアクセスし得る。
【０２６９】
図７（ｊ）に示すように、調整工具500は、ゴルフクラブヘッド400と係合し得る。
【０２７０】
具体的に言うと、前記エンドキャップ416bが外されると、調整工具500の差し込み口510は、ゴルフクラブヘッド400の底部412の開口528bに挿入できる。
【０２７１】
本発明のある態様では、一貫した配置を確保し、差し込み口510がしっかりと定位置にとどまるように、前記環状凹部510aは、開口528b内に位置するOリング526と軸方向で一致する。
【０２７２】
いったん調整工具500がクラブヘッド400と係合すると、押し具506は、クラブヘッド400の壁434と前記L形状のリブ435との間に形成される空間内に係合するように調整される。
【０２７３】
この押し具506は、錘エレメント420bの下部分432と係合するよう適合される。
【０２７４】
いったん留め具424bが緩められると、錘エレメント420bは、押し具506の力を受けて移動するよう構成される。
【０２７５】
コンピューターが読み取り可能な媒体上で具現化されそしてハードウェアコントローラ520が実行するソフトウエアプログラムは、前記調整工具500とゴルフクラブヘッド400との構造に基づいて、複数の錘エレメント420a、420b、420cのそれぞれを正確に位置合わせするように構成され得る。
【０２７６】
例えば、ユーザーは、特に、ユーザーの現在のショット形状と所望するショット形状とに関連する情報を含む軌道調節情報を入力し得る。
【０２７７】
コントローラ520は、各錘エレメント420a、420b、420cの再ポジショニングによって影響される質量中心位置と慣性モーメントを規定する予め決定された関係を使用することで、ゴルフクラブヘッド400の性能特性を適切に変更するために必要な複数の錘エレメント420a、420b、420cの位置を正確に決めることができる。
【０２７８】
いったん軌道調節情報が入力されると、コントローラ520は、ディスプレイ502で、ユーザーに、調整工具500を第一の開口528a内に固定することを促す。
【０２７９】
係合すると、ユーザーは、係合が成功したことを知らせる。
【０２８０】
するとコントローラ520は、計算された押し具506の位置が、所望の重心位置及び／又はクラブヘッドの慣性特性を達成するための錘エレメント420aを所望の位置に配置するのに必要な位置と一致したと該コントローラ520が決定するまで、サーボモータ512で駆動ギア514を作動させる。
【０２８１】
そのような決定は、記憶された経路422a、422b、422cの形状のモデルのほかに、押し具506の端の位置をサーボモータ512の回転変位に関して規定する記憶された関係性に基づく。
【０２８２】
そのような決定はまた、各錘エレメント420a、420b、420cの位置をゴルフクラブヘッド400の質量中心と慣性モーメントとに関連させた、記憶されたモデル化データに基づく。
【０２８３】
本発明の別の態様では、サーボモータ512は、水力駆動装置、空気駆動装置、磁気駆動装置などのような当該技術分野で既知の他の位置センシング駆動装置で代用される。
【０２８４】
本発明の一つ以上の態様において、いったん押し具506の端が適切な調節位置と一致すると、サーボモータ512は、駆動ギア514の駆動を停止し、そして本発明のいくつか態様では、押し具506を後退させる。
【０２８５】
次にユーザーは、ユーザーインターフェース504を使用して、第二の錘エレメント420bの調節、そして最終的に第三の錘エレメント420cの調節をするために、このプログラムを進めることができる。
【０２８６】
位置の検出か、インターフェイス504の使用によるユーザーの入力かのいずれかによって、コントローラ520が、ソフトウエアプログラムを通して、適切に実行するように、コントローラ520は、錘エレメントの現在の調整に関する情報を受け取る。
【０２８７】
そのような調節は、第一の錘エレメント420aの位置の調節と同様に行われる。
【０２８８】
操作の際、ユーザーは、適所で、それらを固着するために、錘エレメント420ａ、420ｂ及び420ｃをしっかりと締め得る。
【０２８９】
データのモデル化と正確な動作が可能な調整工具とを使用することによって、重量調節は非常に正確に実施でき、そして、ユーザーは、ゴルフクラブの調整能力を利用するためのより大きな能力を持つことができる。
【図１】
0005932364.tif 000002
【図１（ａ）】
0005932364.tif 000003
【図２】
0005932364.tif 000004
【図２（ａ）】
0005932364.tif 000005
【図３】
0005932364.tif 000006
【図３（ａ）】
0005932364.tif 000007
【図３（ｂ）】
0005932364.tif 000008
【図３（ｃ）】
0005932364.tif 000009
【図３（ｄ）】
0005932364.tif 000010
【図４】
0005932364.tif 000011
【図５】
0005932364.tif 000012
【図５（ａ）】
0005932364.tif 000013
【図６】
0005932364.tif 000014
【図６（ａ）】
0005932364.tif 000015
【図６（ｂ）】
0005932364.tif 000016
【図６（ｃ）】
0005932364.tif 000017
【図６（ｅ）】
0005932364.tif 000018
【図６（ｆ）】
0005932364.tif 000019
【図６（ｇ）】
0005932364.tif 000020
【図７（ａ）】
0005932364.tif 000021
【図７（ｂ）】
0005932364.tif 000022
【図７（ｃ）】
0005932364.tif 000023
【図７（ｄ）】
0005932364.tif 000024
【図７（ｅ）】
0005932364.tif 000025
【図７（ｆ）】
0005932364.tif 000026
【図７（ｇ）】
0005932364.tif 000027
【図７（ｈ）】
0005932364.tif 000028
【図７（ｉ）】
0005932364.tif 000029
【図７（ｊ）】
0005932364.tif 000030
【図４（ａ）】
0005932364.tif 000031
【図５（ｂ）】
0005932364.tif 000032
【図６（ｄ）】
0005932364.tif 000033